(57)【要約】  この発明の放射線装置は、所定の温度以下になるように光源の点灯時間を制限するために、ＣＰＵ７１に点灯時間制限手段の機能を組み込んで内蔵する。装置本体に接続された光源の種類を判別するために、ＣＰＵ７１の５番ピンがＨｉｇｈロジックまたはＬｏｗロジックになったのを検出することにより、制御基板７０に接続された光源がハロゲンランプＨまたは発光ダイオード（ＬＥＤ）Ｌのいずれかであるのを検出して、光源の種類の判別を行う。判別の結果に基づいて、制限する点灯時間をＣＰＵ７１が変更する。その結果、誤設定のリスクを防止し、光源の切り替え設定を自動的に行うことができる。
2017046929.tif 000002
【特許請求の範囲】
【請求項１】
被検体に向けて放射線を照射する放射線照射手段を備えた放射線装置であって、
放射線の照射野に可視光を照射する光源と、
当該光源の点灯を制御する光源点灯制御手段と、
所定の温度以下になるように前記光源の点灯時間を制限する点灯時間制限手段と、
装置本体に接続された前記光源の種類を判別する光源種類判別手段と
を備え、
前記光源種類判別手段による判別の結果に基づいて、前記点灯時間制限手段が制限する点灯時間を前記光源点灯制御手段が変更することを特徴とする放射線装置。
【請求項２】
被検体に向けて放射線を照射する放射線照射手段を備えた放射線装置であって、
放射線の照射野に可視光を照射する光源と、
当該光源の点灯を制御する光源点灯制御手段と、
所定の温度以下になるように前記光源の点灯時間を制限する点灯時間制限手段と、
装置本体に接続された前記光源の種類を判別する光源種類判別手段と
を備え、
前記光源種類判別手段による判別の結果により前記光源が半導体光源である場合に、前記点灯時間制限手段を前記光源点灯制御手段が無効にすることを特徴とする放射線装置。
【請求項３】
被検体に向けて放射線を照射する放射線照射手段を備えた放射線装置であって、
放射線の照射野に可視光を照射する光源と、
当該光源の点灯を制御する光源点灯制御手段と、
所定の温度以下になるように前記光源の点灯電力を制限する点灯電力制限手段と、
装置本体に接続された前記光源の種類を判別する光源種類判別手段と
を備え、
前記光源種類判別手段による判別の結果に基づいて、前記点灯電力制限手段が制限する点灯電力を前記光源点灯制御手段が変更することを特徴とする放射線装置。
【請求項４】
被検体に向けて放射線を照射する放射線照射手段を備えた放射線装置であって、
放射線の照射野に可視光を照射する光源と、
当該光源の点灯を制御する光源点灯制御手段と、
所定の温度以下になるように前記光源の点灯電力を制限する点灯電力制限手段と、
装置本体に接続された前記光源の種類を判別する光源種類判別手段と
を備え、
前記光源種類判別手段による判別の結果により前記光源が半導体光源である場合に、前記点灯電力制限手段を前記光源点灯制御手段が無効にすることを特徴とする放射線装置。
【請求項５】
請求項１から請求項４のいずれかに記載の放射線装置において、
前記光源種類判別手段は、前記光源が接続されたことを検出することを特徴とする放射線装置。
【請求項６】
請求項１から請求項４のいずれかに記載の放射線装置において、
前記光源種類判別手段は、前記光源点灯制御手段が前記光源を点灯させるための当該光源専用の制御基板に搭載されたことを検出することを特徴とする放射線装置。
【発明の詳細な説明】
【技術分野】
【０００１】
この発明は、被検体に向けて放射線を照射する放射線照射手段を備えた放射線装置に係り、特に、放射線の照射野を制御する技術に関する。
【背景技術】
【０００２】
放射線としてＸ線を例に採って説明するとともに、放射線装置としてＸ線撮影を行うＸ線撮影装置を例に採って説明する。Ｘ線撮影装置は、被検体に向けてＸ線を照射するＸ線管（放射線照射手段）を備えるとともに、Ｘ線管からのＸ線照射領域をリーフにより制御するコリメータ（Ｘ線絞り）と、コリメータを介して被検体を透過したＸ線を検出するＸ線検出器（Ｘ線フィルム，ＣＲ(Computed Radiography)またはＦＰＤ(Flat Panel Detector)）とを備えている。【０００３】
Ｘ線管からのＸ線照射領域をリーフにより制御するコリメータにおいては、コリメータにより形成される矩形のＸ線の照射野は、例えばコリメータのパネル面に設けられた縦寸法調整つまみおよび横寸法調整つまみにより、その２辺の長さを調整することができる。しかしながら、この調整をＸ線撮影前に被検体にＸ線を照射しながらモニタリングして行うことは被検体の被曝の増加につながる。【０００４】
そこで、このような被曝を防止するために、通常は、コリメータは光源となる照射野ランプ（コリメータランプ）を内蔵し、Ｘ線の代わりに可視光（以下、「光」と略記する）を照射する機能を有している。Ｘ線の照射野と一致するように調整された光の照射野を確認することで、Ｘ線を照射することなく撮影前に照射野の位置および寸法の調整を行うことができる。また、光を照射するためのコリメータランプの点灯は点灯ボタンによって行われ、例えば点灯ボタンの１回押下で所定時間（例えば３０秒）が経過するとコリメータランプが自動的に消灯するように構成されている。【０００５】
所定時間を超えてコリメータランプを連続して点灯させるには、点灯ボタンを複数回押下することで行う。具体的には、上述した所定時間が経過してコリメータランプが消灯した直後に点灯ボタンを再度に押下することを繰り返すことで、所定時間を超えてもコリメータランプを連続して点灯させることができる。【０００６】
コリメータランプは、発熱の大きいハロゲンランプを使用しており、所定時間を超えてコリメータランプを長時間点灯させると、ハロゲンランプからの発熱により装置外装の温度が上昇して過熱する恐れがある。そこで、設定温度を超えないようにコリメータランプの点灯時間を制限することで温度制限を行うＸ線撮影装置が本出願人から提案されている（例えば、特許文献１参照）。【０００７】
具体的には、特許文献１：特開２０１２−５５４２１号公報の図３に示すように、制御部は、照射野ランプ（コリメータランプ）の点灯時間と温度上昇との関係、およびコリメータランプの消灯時間と温度降下との関係を示す温度昇降データを記憶する記憶部と、コリメータランプの点灯時間および消灯時間と記憶部された温度昇降データとから、現在のコリメータランプの温度を演算する疑似温度カウンターと、疑似温度カウンターにより演算されたコリメータランプの温度が設定温度を超えたときにコリメータランプの点灯を禁止するとともに、疑似温度カウンターにより演算されたコリメータランプの温度が設定温度以下となったときにコリメータランプの点灯を許可する点灯制御部とを備えている。【０００８】
上述した構成により、装置の製造コストを上昇させることなく、装置の温度が一定以上となることを防止することができる。また、装置の温度が一定以下となったときにはＸ線撮影を再開することが可能となる。【０００９】
また、技師などの使用者が必要とする作業時間に応じて、設定された点灯時間を変更して制御するＸ線撮影装置がある（例えば、特許文献２参照）。その他に、バッテリーを搭載した移動式Ｘ線撮影装置において、コリメータランプの消費電力およびバッテリーの残存電力に応じて、点灯時間を制御するＸ線撮影装置がある（例えば、特許文献３参照）。
【先行技術文献】
【特許文献】
【００１０】
【特許文献１】特開２０１２−５５４２１号公報
【特許文献２】特開２０１３−１８３９５９号公報
【特許文献３】特開２００５−３０４６９６号公報
【発明の概要】
【発明が解決しようとする課題】
【００１１】
しかしながら、従来技術の場合には、装置を連続して使用したい場合でも温度制限でコリメータランプの点灯が禁止された際には、装置を使用することができず、さらに照射野を調整することができないという問題点がある。その結果、技師などの使用者が装置を使用したいタイミングで装置を使用することができず、患者である被検体を待たせてしまうという不便性の問題が生じた。【００１２】
従来のコリメータランプは、上述したように発熱の大きい（１００Ｗ程度の消費電力がある）ハロゲンランプを使用しているので、上述した特許文献１：特開２０１２−５５４２１号公報のように、装置外装の温度を考慮した温度制限などのような保護（プロテクト）が必要であった。そこで、発光ダイオード（LED: Light Emitting Diode）などの消費電力の小さい光源を使用することで、１０Ｗ〜２０Ｗ程度の消費電力でハロゲンランプと同等の照度が得られる。よって、発光ダイオード（ＬＥＤ）を連続して点灯させても装置外装の温度が高温にはならないので、外装温度に考慮する必要がなくなる。【００１３】
このように、近年、ＬＥＤからなるコリメータランプを有するＸ線撮影装置が使用されている。一方、ＬＥＤのみからなるコリメータランプを有するＸ線撮影装置を使用しようとすると、装置全体を準備する必要がある。さらに、ＬＥＤの場合には直流により点灯するので、交流電源を直接に取り込むことができず、交流を直流に変換するＡＣ／ＤＣ変換基板を準備する必要がある。そこで、汎用性を高めるためにハロゲンランプおよびＬＥＤの両方を点灯制御可能な構成を備えていずれか一方に切り替えるように構成された機器が開発されている。【００１４】
このような機器を使用する場合には、ＡＣ／ＤＣ変換基板の他に、ハロゲンランプおよびＬＥＤの両方に接続可能で、いずれか一方に切り替え可能な制御基板、あるいはハロゲンランプを点灯させるためのハロゲンランプ用制御基板（ハロゲンランプ点灯用回路）およびＬＥＤを点灯させるためのＬＥＤ用制御基板（ＬＥＤ点灯用回路）のみを準備するだけで済み、ＡＣ／ＤＣ変換基板や制御基板以外のＸ線撮影装置内の機器は既存のものを利用することができる。なお、ＡＣ／ＤＣ変換基板や制御基板は装置本体に搭載されている。【００１５】
このように、装置本体に接続された光源をハロゲンランプからＬＥＤに切り替えて変更した場合には、ＬＥＤが接続されていることを、中央演算処理装置（ＣＰＵ）などで構成された点灯制御部が検知することで、点灯制御部は温度制限を無視することができる。しかし、ＬＥＤが接続されていることを点灯制御部に知らせるための設定が必要である。【００１６】
通常、これらのＡＣ／ＤＣ変換基板や制御基板を装置本体に搭載して、装置を組み立てた後に出荷する。あるいは保守時に、これらのＡＣ／ＤＣ変換基板や制御基板を装置本体に搭載する。よって、出荷時の組み立て者や保守時のサービスマンが、ＬＥＤが接続されていることを点灯制御部に知らせるための設定を手動で行う。出荷時の組み立て者や保守時のサービスマンなどの人間が手動で設定する場合、設定の手間がかかるとともに、誤設定のリスクがある。【００１７】
特に、誤設定のリスクについて具体的に述べる。実際にはＬＥＤが接続されているのにも関わらずハロゲンランプの設定をしてしまった場合には、従来の通りに温度制限がかかってしまい、長時間に連続して使用することができないというだけで済む。しかし、逆に、実際にはハロゲンランプが接続されているのにも関わらずＬＥＤの設定をしてしまった場合には、外装温度の過熱に対する制限が解除されてしまうので、装置外装が過熱することが起こり得てしまう。【００１８】
この発明は、このような事情に鑑みてなされたものであって、誤設定のリスクを防止し、光源の切り替え設定を自動的に行うことができる放射線装置を提供することを目的とする。
【課題を解決するための手段】
【００１９】
この発明は、このような目的を達成するために、次のような構成をとる。
すなわち、この発明に係る放射線装置（「第１の発明」と呼ぶ）は、被検体に向けて放射線を照射する放射線照射手段を備えた放射線装置であって、放射線の照射野に可視光を照射する光源と、当該光源の点灯を制御する光源点灯制御手段と、所定の温度以下になるように前記光源の点灯時間を制限する点灯時間制限手段と、装置本体に接続された前記光源の種類を判別する光源種類判別手段とを備え、前記光源種類判別手段による判別の結果に基づいて、前記点灯時間制限手段が制限する点灯時間を前記光源点灯制御手段が変更することを特徴とするものである。【００２０】
この発明に係る放射線装置（第１の発明）によれば、放射線の照射野に可視光を照射する光源や、当該光源の点灯を制御する光源点灯制御手段の他に、所定の温度以下になるように光源の点灯時間を制限する点灯時間制限手段と、装置本体に接続された光源の種類を判別する光源種類判別手段とを備えている。点灯時間制限手段が所定の温度以下になるように光源の点灯時間を制限することにより、装置外装の温度が過熱しないようにする。光源種類判別手段での装置本体に接続された光源の種類を判別することによる判別の結果に基づいて、点灯時間制限手段が制限する点灯時間を光源点灯制御手段が変更することより、出荷時の組み立て者や保守時のサービスマンなどの人間が手動で設定する必要がなく、光源の切り替え設定を自動的に行うことができる。また、光源種類判別手段による判別の結果に基づいて点灯時間制限手段が制限する点灯時間を変更するので、誤設定のリスクを防止することができる。例えば、発熱の大きい種類の光源（例えばハロゲンランプ）が実際に接続されていても、当該光源の種類を接続対象として自動的に判別することで、点灯時間を短く制限して過熱を防止する。逆に、発熱の小さい種類の光源（例えばＬＥＤ）が実際に接続されていても、当該光源の種類を接続対象として自動的に判別することで、点灯時間を長く設定して長時間に連続して使用する。よって、発熱の大きい種類の光源を用いて外装温度の過熱の可能性がある場合には過熱を防止し、発熱の小さい種類の光源を用いて外装温度の過熱の可能性がない場合には長時間に連続して使用することが可能となる。その結果、誤設定のリスクを防止し、光源の切り替え設定を自動的に行うことができる。【００２１】
また、第１の発明とは別の発明に係る放射線装置（「第２の発明」と呼ぶ）は、被検体に向けて放射線を照射する放射線照射手段を備えた放射線装置であって、放射線の照射野に可視光を照射する光源と、当該光源の点灯を制御する光源点灯制御手段と、所定の温度以下になるように前記光源の点灯時間を制限する点灯時間制限手段と、装置本体に接続された前記光源の種類を判別する光源種類判別手段とを備え、前記光源種類判別手段による判別の結果により前記光源が半導体光源である場合に、前記点灯時間制限手段を前記光源点灯制御手段が無効にすることを特徴とするものである。【００２２】
この発明に係る放射線装置（第２の発明）によれば、第１の発明と同様に、放射線の照射野に可視光を照射する光源や、当該光源の点灯を制御する光源点灯制御手段の他に、所定の温度以下になるように光源の点灯時間を制限する点灯時間制限手段と、装置本体に接続された光源の種類を判別する光源種類判別手段とを備えている。点灯時間制限手段が所定の温度以下になるように光源の点灯時間を制限することにより、装置外装の温度が過熱しないようにする。第１の発明と相違して、光源種類判別手段での装置本体に接続された光源の種類を判別することによる判別の結果により光源が半導体光源である場合に、点灯時間制限手段を光源点灯制御手段が無効にする。半導体光源は、位相のそろった可視光を放射するレーザダイオード（LD: Laser Diode）や、上述したようなＬＥＤなどのように発熱の小さい半導体光源で構成されている。したがって、発熱の小さい半導体光源が実際に接続されている場合には点灯時間制限手段を無効にすることにより、点灯時間を長く設定して長時間に連続して使用する。逆に、半導体光源以外の発熱の大きい種類の光源（例えばハロゲンランプ）が実際に接続されている場合には点灯時間制限手段を有効にすることにより、点灯時間を短く制限して過熱を防止する。よって、発熱の小さい半導体光源を用いて外装温度の過熱の可能性がない場合には点灯時間制限手段を無効にすることにより、長時間に連続して使用することが可能となる。その結果、誤設定のリスクを防止し、光源の切り替え設定を自動的に行うことができる。【００２３】
また、第１の発明・第２の発明とは別の発明に係る放射線装置（「第３の発明」と呼ぶ）は、被検体に向けて放射線を照射する放射線照射手段を備えた放射線装置であって、放射線の照射野に可視光を照射する光源と、当該光源の点灯を制御する光源点灯制御手段と、所定の温度以下になるように前記光源の点灯電力を制限する点灯電力制限手段と、装置本体に接続された前記光源の種類を判別する光源種類判別手段とを備え、前記光源種類判別手段による判別の結果に基づいて、前記点灯電力制限手段が制限する点灯電力を前記光源点灯制御手段が変更することを特徴とするものである。【００２４】
この発明に係る放射線装置（第３の発明）によれば、放射線の照射野に可視光を照射する光源や、当該光源の点灯を制御する光源点灯制御手段の他に、所定の温度以下になるように光源の点灯電力を制限する点灯電力制限手段と、装置本体に接続された光源の種類を判別する光源種類判別手段とを備えている。点灯電力制限手段が所定の温度以下になるように光源の点灯電力を制限することにより、装置外装の温度が過熱しないようにする。光源種類判別手段での装置本体に接続された光源の種類を判別することによる判別の結果に基づいて、点灯電力制限手段が制限する点灯電力を光源点灯制御手段が変更することより、出荷時の組み立て者や保守時のサービスマンなどの人間が手動で設定する必要がなく、光源の切り替え設定を自動的に行うことができる。また、光源種類判別手段による判別の結果に基づいて点灯電力制限手段が制限する点灯電力を変更するので、誤設定のリスクを防止することができる。例えば、発熱の大きい種類の光源（例えばハロゲンランプ）が実際に接続されていても、当該光源の種類を接続対象として自動的に判別することで、例えばタイマーで点灯時間を監視した後に、点灯電力を下げて制限して過熱を防止する。逆に、発熱の小さい種類の光源（例えばＬＥＤ）が実際に接続されていても、当該光源の種類を接続対象として自動的に判別することで、例えばタイマーで点灯時間を監視した後でも、点灯電力の下げ率を抑えて設定する。よって、発熱の大きい種類の光源を用いて外装温度の過熱の可能性がある場合には過熱を防止し、発熱の小さい種類の光源を用いて外装温度の過熱の可能性がない場合には点灯電力の下げ率を抑えて設定することが可能となる。その結果、誤設定のリスクを防止し、光源の切り替え設定を自動的に行うことができる。【００２５】
また、第１の発明〜第３の発明とは別の発明に係る放射線装置（「第４の発明」と呼ぶ）は、被検体に向けて放射線を照射する放射線照射手段を備えた放射線装置であって、放射線の照射野に可視光を照射する光源と、当該光源の点灯を制御する光源点灯制御手段と、所定の温度以下になるように前記光源の点灯電力を制限する点灯電力制限手段と、装置本体に接続された前記光源の種類を判別する光源種類判別手段とを備え、前記光源種類判別手段による判別の結果により前記光源が半導体光源である場合に、前記点灯電力制限手段を前記光源点灯制御手段が無効にすることを特徴とするものである。【００２６】
この発明に係る放射線装置（第４の発明）によれば、第３の発明と同様に、放射線の照射野に可視光を照射する光源や、当該光源の点灯を制御する光源点灯制御手段の他に、所定の温度以下になるように光源の点灯電力を制限する点灯電力制限手段と、装置本体に接続された光源の種類を判別する光源種類判別手段とを備えている。点灯電力制限手段が所定の温度以下になるように光源の点灯電力を制限することにより、装置外装の温度が過熱しないようにする。第３の発明と相違して、光源種類判別手段での装置本体に接続された光源の種類を判別することによる判別の結果により光源が半導体光源である場合に、点灯電力制限手段を光源点灯制御手段が無効にする。半導体光源は、第２の発明でも述べたように、レーザダイオード（ＬＤ）や、上述したようなＬＥＤなどのように発熱の小さい半導体光源で構成されている。したがって、発熱の小さい半導体光源が実際に接続されている場合には点灯電力制限手段を無効にすることにより、点灯電力を下げずに設定、あるいは大きく設定する。逆に、半導体光源以外の発熱の大きい種類の光源（例えばハロゲンランプ）が実際に接続されている場合には点灯電力制限手段を有効にすることにより、点灯電力を下げて制限して過熱を防止する。よって、発熱の小さい半導体光源を用いて外装温度の過熱の可能性がない場合には点灯電力制限手段を無効にすることにより、点灯電力を下げずに設定、あるいは大きく設定することが可能となる。その結果、誤設定のリスクを防止し、光源の切り替え設定を自動的に行うことができる。【００２７】
上述したこれらの発明に係る放射線装置（第１の発明〜第４の発明）における光源の種類の判別の一例は、下記の通りである。
すなわち、光源種類判別手段は、光源が接続されたことを検出する。この一例の場合には、例えば制御基板を１つ用意して、装置本体に搭載された当該制御基板に光源を接続するだけで、光源の種類の判別を実現することができる。【００２８】
上述したこれらの発明に係る放射線装置（第１の発明〜第４の発明）における光源の種類の判別の他の一例は、下記の通りである。
すなわち、光源種類判別手段は、光源点灯制御手段が光源を点灯させるための当該光源専用の制御基板に搭載されたことを検出する。この一例の場合には、例えば光源の種類の数だけ光源専用の制御基板（光源専用の点灯用回路）を用意して、いずれか１つの制御基板を装置本体に搭載して、それぞれに同じ光源点灯制御手段（例えばＣＰＵ）を搭載するだけで、光源の種類の判別を実現することができる。
【発明の効果】
【００２９】
この発明に係る放射線装置（第１の発明・第３の発明）によれば、所定の温度以下になるように光源の点灯時間／点灯電力を制限する点灯時間／点灯電力制限手段と、装置本体に接続された光源の種類を判別する光源種類判別手段とを備え、光源種類判別手段による判別の結果に基づいて、点灯時間／点灯電力制限手段が制限する点灯時間／点灯電力を光源点灯制御手段が変更する。その結果、誤設定のリスクを防止し、光源の切り替え設定を自動的に行うことができる。
また、この発明に係る放射線装置（第２の発明・第４の発明）によれば、所定の温度以下になるように光源の点灯時間／点灯電力を制限する点灯時間／点灯電力制限手段と、装置本体に接続された光源の種類を判別する光源種類判別手段とを備え、光源種類判別手段による判別の結果により光源が半導体光源である場合に、点灯時間／点灯電力制限手段を光源点灯制御手段が無効にする。その結果、誤設定のリスクを防止し、光源の切り替え設定を自動的に行うことができる。
【図面の簡単な説明】
【００３０】
【図１】各実施例に係るＸ線撮影装置の概略図である。
【図２】各実施例に係るＸ線撮影装置のブロック図である。
【図３】Ｘ線管にコリメータランプを配設したときの概略図である。
【図４】光源種類判別手段の説明に供する、実施例１に係る制御基板および周辺の回路である。
【図５】光源種類判別手段の説明に供する、実施例２に係るハロゲンランプ用制御基板（ハロゲンランプ点灯用回路）および周辺の回路である。
【図６】光源種類判別手段の説明に供する、実施例２に係るＬＥＤ用制御基板（ＬＥＤ点灯用回路）および周辺の回路である。
【図７】光源種類判別手段の説明に供する、変形例に係る制御基板および周辺の回路である。
【実施例１】
【００３１】
以下、図面を参照してこの発明の実施例１を説明する。図１は、各実施例に係るＸ線撮影装置の概略図であり、図２は、各実施例に係るＸ線撮影装置のブロック図であり、図３は、Ｘ線管にコリメータランプを配設したときの概略図である。後述する実施例２〜５も含めて、本実施例１では、放射線としてＸ線を例に採って説明するとともに、放射線装置としてＸ線撮影を行うＸ線撮影装置を例に採って説明する。【００３２】
後述する実施例２〜５も含めて、図１に示すように、本実施例１に係るＸ線撮影装置１は、天井に沿って移動可能にＸ線管２２を懸垂支持するＸ線管懸垂ユニット２、被検体Ｍを立位姿勢の状態でＸ線撮影を行うＸ線撮影スタンドユニット３、被検体Ｍを臥位姿勢の状態でＸ線撮影を行う臥位テーブルユニット４および被検体ＭのＸ線画像に対して画像処理を行う画像処理ユニット５（図１では図示省略）とを備えている。図２に示すように、Ｘ線管懸垂ユニット２、Ｘ線撮影スタンドユニット３、臥位テーブルユニット４および画像処理ユニット５は互いに通信ケーブル６によって電気的に接続されており、この通信ケーブル６によって、Ｘ線管懸垂ユニット２、Ｘ線撮影スタンドユニット３、臥位テーブルユニット４および画像処理ユニット５は互いに通信可能に構成される。【００３３】
Ｘ線管懸垂ユニット２は、図１に示すように、天井に沿って移動可能で上下に伸縮可能な支柱２１と、その支柱２１により支持され向きが調整可能なＸ線管２２とを備えている。また、Ｘ線管懸垂ユニット２は、図２に示すように、Ｘ線管２２の位置や角度を検出する位置検出部２３と、位置検出部２３により得られた位置情報のアナログ電圧をディジタルデータに変換するＡ／Ｄ変換器２４とを備えている。その他に、Ｘ線管懸垂ユニット２は、メモリ部２５と入力部２６と出力部２７と制御部２８と照射野ランプ（コリメータランプ）２９とを備えている。具体的な制御部２８およびコリメータランプ２９の構造については後述する。Ｘ線管２２は、この発明における放射線照射手段に相当し、制御部２８は、この発明における光源点灯制御手段，点灯時間制限手段および光源種類判別手段に相当し、照射野ランプ（コリメータランプ）２９は、この発明における光源に相当する。【００３４】
Ｘ線撮影スタンドユニット３は、図１に示すように、被検体Ｍを立位姿勢で支持する立位スタンド３１と、この立位スタンド３１に搭載され上下に昇降移動可能なフラットパネル型Ｘ線検出器（ＦＰＤ）３２とを備えている。また、Ｘ線撮影スタンドユニット３は、図２に示すように、ＦＰＤ３２の位置を検出する位置検出部３３と、位置検出部３３により得られた位置情報のアナログ電圧をディジタルデータに変換するＡ／Ｄ変換器３４とを備えている。その他に、Ｘ線撮影スタンドユニット３は、メモリ部３５と制御部３６とを備えている。なお、Ｘ線管懸垂ユニット２と同様に、Ｘ線撮影スタンドユニット３は入力部と出力部とを備えてもよい。また、Ｘ線撮影スタンドユニット３にメモリ部３５や制御部３６を備えずに、Ｘ線管懸垂ユニット２の制御部２８が、Ｘ線撮影スタンドユニット３のＦＰＤ３２などを直接的に制御してもよい。【００３５】
臥位テーブルユニット４は、図１に示すように、被検体Ｍを臥位姿勢で載置する臥位テーブル４１と、この臥位テーブル４１に搭載され水平移動可能なフラットパネル型Ｘ線検出器（ＦＰＤ）４２とを備えている。また、臥位テーブルユニット４は、図２に示すように、ＦＰＤ４２の位置を検出する位置検出部４３と、位置検出部４３により得られた位置情報のアナログ電圧をディジタルデータに変換するＡ／Ｄ変換器４４とを備えている。その他に、臥位テーブルユニット４は、メモリ部４５と制御部４６とを備えている。なお、Ｘ線管懸垂ユニット２と同様に、臥位テーブルユニット４は入力部と出力部とを備えてもよい。また、臥位テーブルユニット４にメモリ部４５や制御部４６を備えずに、Ｘ線管懸垂ユニット２の制御部２８が、臥位テーブルユニット４のＦＰＤ４２などを直接的に制御してもよい。【００３６】
画像処理ユニット５は、図２に示すように、Ｘ線撮影スタンドユニット３のＦＰＤ３２あるいは臥位テーブルユニット４のＦＰＤ４２で得られたＸ線出力信号に基づいて画像処理を行ってＸ線画像（Ｘ線撮影画像）を作成する画像処理部５１を備えている。その他に、画像処理ユニット５は、Ｘ線画像を書き込んで記憶するメモリ部５２を備えている。なお、Ｘ線管懸垂ユニット２と同様に、画像処理ユニット５は入力部と出力部とを備えてもよい。また、画像処理ユニット５にメモリ部５２を備えずに、Ｘ線管懸垂ユニット２のメモリ部２５に、Ｘ線画像を書き込んで記憶するように構成してもよい。【００３７】
Ｘ線管懸垂ユニット２の支柱２１は、天井に沿って敷設されたレールＲに沿って移動可能である。図１の紙面の奥行き方向にも沿ってレールＲは敷設され、奥行き方向にも沿って支柱２１は移動可能である。この支柱２１は伸縮可能に構成され、この支柱２１によってＸ線管２２が支持されることにより、Ｘ線管２２は水平／昇降移動可能である。また、Ｘ線管２２は向きが調整可能である。したがって、Ｘ線撮影スタンドユニット３の立位スタンド３１の方に向けて、図１の実線に示すようにＸ線管２２を水平／昇降移動させて向きを調整して、立位姿勢でＸ線撮影を行うことが可能である。また、臥位テーブルユニット４の臥位テーブル４１の方に向けて、図１の２点鎖線に示すようにＸ線管２２を水平／昇降移動させて向きを調整して、臥位姿勢でＸ線撮影を行うことも可能である。【００３８】
図２に示すように、Ｘ線管２２には位置検出部２３が配設され、その位置検出部２３によってＸ線管２２の位置や角度を検出する。位置検出部２３は例えばポテンショメータで構成され、Ｘ線管２２の移動や回転移動に伴ってポテンショメータの抵抗値が変化し、その抵抗値に伴って基準電圧に対して出力電圧が変化する。この出力電圧はアナログ電圧であって、ポテンショメータにより得られた位置情報（角度も含む）のアナログ電圧をＡ／Ｄ変換器２４に送り込み、Ａ／Ｄ変換器２４はアナログ電圧をディジタルデータに変換する。【００３９】
Ｘ線管懸垂ユニット２のメモリ部２５は、制御部２８を介して、撮影毎のＸ線画像取得エリアや各撮影における撮影位置を書き込んで記憶し、適宜必要に応じて読み出す。Ｘ線管懸垂ユニット２のメモリ部２５や、Ｘ線撮影スタンドユニット３のメモリ部３５や、臥位テーブルユニット４のメモリ部４５や、画像処理ユニット５のメモリ部５２は、ＲＯＭ（Read-only Memory）やＲＡＭ（Random-Access Memory）などに代表される記憶媒体で構成されている。【００４０】
Ｘ線管懸垂ユニット２の入力部２６は、オペレータが入力したデータや命令を制御部２８に送り込む。入力部２６は、マウスやキーボードやジョイスティックやトラックボールやタッチパネルなどに代表されるポインティングデバイスで構成されている。本実施例１では、点灯ボタン（図示省略）を押下することで、コリメータランプ２９を所定時間だけ点灯させ、当該所定時間が経過するとコリメータランプ２９が自動的に消灯する。【００４１】
Ｘ線管懸垂ユニット２の出力部２７は、モニタなどに代表される表示部やプリンタなどで構成されている。出力部２７が表示部の場合には出力表示し、出力部２７がプリンタの場合には出力印刷する。また、上述した点灯ボタンを搭載したタッチパネルで出力部２７を構成し、このタッチパネルをＸ線管２２に取り付けてもよい。このように出力部２７に入力部２６の機能を搭載してもよい。【００４２】
Ｘ線管懸垂ユニット２の制御部２８は、Ｘ線管懸垂ユニット２を構成する各部分を統括制御する。Ｘ線管懸垂ユニット２の制御部２８や、Ｘ線撮影スタンドユニット３の制御部３６や、臥位テーブルユニット４の制御部４６や、画像処理ユニット５の画像処理部５１は、中央演算処理装置（ＣＰＵ）などを搭載した制御基板で構成されている。後述する実施例２〜５も含めて、本実施例１では、コリメータランプ２９の点灯を制御する光源点灯制御手段の機能、さらには、装置本体に接続されたコリメータランプ２９の種類を判別する光源種類判別手段の機能を制御部２８は有している。また、後述する実施例２も含めて、本実施例１では、所定の温度以下になるようにコリメータランプ２９の点灯時間を制限する点灯時間制限手段の機能、さらには、光源種類判別手段の機能による判別の結果に基づいて、点灯時間制限手段が制限する点灯時間を変更する機能を制御部２８は有している。【００４３】
Ｘ線管懸垂ユニット２のコリメータランプ２９は、図３に示すようにＸ線管２２からのＸ線の照射野を制御するコリメータ（Ｘ線絞り）２２ａに内蔵されている。具体的には、照射野のサイズが変更可能なリーフ２２ｂおよび反射鏡２２ｃを備え、コリメータランプ２９から照射された可視光（光）を反射鏡２２ｃによって反射させてリーフ２２ｂを通るように構成される。コリメータ２２ａのリーフ２２ｂを操作することによりコリメータランプ２９から照射される照射野（「採光野」とも呼ばれる）のサイズを自在に設定することができる。このように、コリメータランプ２９は、コリメータ２２ａのリーフ２２ｂにより調整された照射野全体を可視光（光）で照らす。後述する実施例２〜５も含めて、本実施例１では、コリメータランプ２９は、ハロゲンランプまたは発光ダイオード（ＬＥＤ）からなり、いずれか一方に切り替えるように構成されている。【００４４】
図１に示すように、Ｘ線撮影スタンドユニット３の立位スタンド３１は床面に対して設置されている。Ｘ線撮影スタンドユニット３のＦＰＤ３２は、立位スタンド３１に沿って上下に昇降移動可能である。一方、臥位テーブルユニット４の臥位テーブル４１も床面に対して設置されている。臥位テーブルユニット４のＦＰＤ４２は、臥位テーブル４１内を水平移動可能である。【００４５】
図２に示すように、Ｘ線撮影スタンドユニット３のＦＰＤ３２には位置検出部３３が配設され、その位置検出部３３によってＦＰＤ３２の位置を検出する。一方、臥位テーブルユニット４のＦＰＤ４２にも位置検出部４３が配設され、その位置検出部４３によってＦＰＤ４２の位置を検出する。Ｘ線管懸垂ユニット２の位置検出部２３と同様に、Ｘ線撮影スタンドユニット３の位置検出部３３や、臥位テーブルユニット４の位置検出部４３もポテンショメータで構成され、ＦＰＤ３２，４２の移動に伴ってポテンショメータの抵抗値が変化し、その抵抗値に伴って基準電圧に対して出力電圧が変化する。この出力電圧はアナログ電圧であって、ポテンショメータにより得られた位置情報のアナログ電圧を、Ｘ線撮影スタンドユニット３の場合にはＡ／Ｄ変換器３４に送り込み、臥位テーブルユニット４の場合にはＡ／Ｄ変換器４４に送り込み、Ａ／Ｄ変換器３４，４４はアナログ電圧をディジタルデータにそれぞれ変換する。また、Ｘ線撮影スタンドユニット３や臥位テーブルユニット４のポテンショメータにより得られた位置情報のアナログ電圧を、通信ケーブル６を介してＸ線管懸垂ユニット２にも送り込む。【００４６】
Ｘ線撮影スタンドユニット３のメモリ部３５は、Ｘ線撮影におけるＦＰＤ３２の上端位置および下端位置を書き込んで記憶し、適宜必要に応じて読み出す。一方、臥位テーブルユニット４のメモリ部４５は、Ｘ線撮影におけるＦＰＤ４２の左端位置および右端位置を書き込んで記憶し、適宜必要に応じて読み出す。【００４７】
Ｘ線撮影スタンドユニット３の制御部３６は、Ｘ線撮影スタンドユニット３を構成する各部分を統括制御し、臥位テーブルユニット４の制御部４６は、臥位テーブルユニット４を構成する各部分を統括制御する。【００４８】
Ｘ線管懸垂ユニット２の制御部２８と、Ｘ線撮影スタンドユニット３の制御部３６とを、通信ケーブル６によって電気的に接続し、Ｘ線管懸垂ユニット２の制御部２８と、臥位テーブルユニット４の制御部４６とを、通信ケーブル６によって電気的に接続し、Ｘ線管懸垂ユニット２の制御部２８と、画像処理ユニット５の画像処理部５１とを、通信ケーブル６によって電気的に接続する。このように接続することによって、Ｘ線管懸垂ユニット２、Ｘ線撮影スタンドユニット３、臥位テーブルユニット４および画像処理ユニット５を互いに通信可能に構成する。その他に、各制御部２８，３６，４６は、Ｘ線管２２やＦＰＤ３２，４２を駆動制御し、図示を省略するモータを各制御部２８，３６，４６が制御することによりＸ線管２２やＦＰＤ３２，４２をモータ駆動させる。このモータ駆動により、Ｘ線管２２やＦＰＤ３２，４２を所望の位置に制御し、Ｘ線管２２の向きを所望の角度にて調整することができる。【００４９】
次に、本実施例１に係る制御部２８の具体的な構造および制御部２８による具体的な制御について、図４を参照して説明する。図４は、光源種類判別手段の説明に供する、実施例１に係る制御基板および周辺の回路である。【００５０】
制御部２８（図２を参照）は、図４に示すように、光源種類判別手段の機能を有した制御基板７０で構成され、光源点灯制御手段の機能および点灯時間制限手段の機能を有した中央演算処理装置（ＣＰＵ）７１を制御基板７０に搭載して構成されている。本実施例１では、図４に示すように１つの制御基板７０が、ハロゲンランプＨおよび発光ダイオード（ＬＥＤ）Ｌの両方に接続可能で、いずれか一方に切り替えるように構成されている。図４では、ＣＰＵ７１は、光源点灯制御手段の機能に専ら用いられており、点灯時間制限手段の機能を組み込んで内蔵している。【００５１】
具体的には、制御基板７０は装置（図１および図２ではＸ線撮影装置１）本体に搭載されている。そして、制御基板７０は、図２に示すように制御部２８としてＸ線撮影装置１を構成する各部分に電気的に接続されている。【００５２】
図４に示すように、制御基板７０は、ハロゲンランプ用コネクタ７２を介してハロゲンランプＨに電気的に接続され、ＬＥＤ用コネクタ７３を介して発光ダイオード（ＬＥＤ）Ｌに電気的に接続されている。また、制御基板７０はスイッチ用コネクタ７４を介してランプ点灯スイッチＳに電気的に接続されている。ハロゲンランプ用コネクタ７２やスイッチ用コネクタ７４は２つのピン（接続端子）を有し、ＬＥＤ用コネクタ７３は４つのピン（接続端子）を有している。【００５３】
ハロゲンランプ用コネクタ７２の１番ピン（図４では「１」で表記）および２番ピン（図４では「２」で表記）はハロゲンランプＨにつながっており、当該ハロゲンランプ用コネクタ７２を制御基板７０に挿すことで、当該１番ピンは２４Ｖの直流電源に電気的に接続され、当該２番ピンはトランジスタを介してＣＰＵ７１に電気的に接続される。また、２４Ｖの直流電源はＡＣ／ＤＣ変換基板（図示省略）に電気的に接続されており、交流を２４Ｖの直流電圧に変換した後にハロゲンランプＨに電力を供給する。なお、ハロゲンランプＨの場合には交流による点灯も可能であるので、交流電源を直接に取り込んでもよい。【００５４】
スイッチ用コネクタ７４の１番ピン（図４では「１」で表記）および２番ピン（図４では「２」で表記）はランプ点灯スイッチＳにつながっており、当該スイッチ用コネクタ７４を制御基板７０に挿すことで、当該１番ピンは、途中で５Ｖの直流電源に接続された抵抗に電気的に接続され、ＣＰＵ７１に電気的に接続される。また、当該２番ピンは接地される。【００５５】
ＬＥＤ用コネクタ７３の１番ピン（図４では「１」で表記）および２番ピン（図４では「２」で表記）は発光ダイオード（ＬＥＤ）Ｌにつながっており、当該ＬＥＤ用コネクタ７３を制御基板７０に挿すことで、当該１番ピンは１４Ｖの直流電源に電気的に接続され、当該２番ピンはトランジスタを介してＣＰＵ７１に電気的に接続される。また、１４Ｖの直流電源はＡＣ／ＤＣ変換基板（図示省略）に電気的に接続されており、交流を１４Ｖの直流電圧に変換した後に発光ダイオード（ＬＥＤ）Ｌに電力を供給する。【００５６】
なお、ＬＥＤ用コネクタ７３の３番ピン（図４では「３」で表記）および４番ピン（図４では「４」で表記）はケーブルによって短絡（ショート）するように構成されている。ＬＥＤ用コネクタ７３を制御基板７０に挿すことで、当該３番ピンは、途中で５Ｖの直流電源に接続された高抵抗（例えば１０ｋΩ）に電気的に接続され、ＣＰＵ７１の５番ピン（図４では「５」で表記）に電気的に接続される。また、当該４番ピンは接地される。【００５７】
ＣＰＵ７１の５番ピンは、電圧が３．７Ｖ〜５ＶのときにはＨｉｇｈロジックになり、電圧が０Ｖ〜０．７ＶのときにはＬｏｗロジックになる。ロジックを検知する電圧に閾値のマージンを持たせているのは、Ｈｉｇｈロジックの場合には電圧降下やノイズを考慮するためであり、Ｌｏｗロジックの場合にはノイズを考慮するためである。ロジックを検知する電圧に閾値のマージンを持たせることにより、Ｈｉｇｈロジックの場合には電圧降下やノイズがあったとしても３．７Ｖ〜５Ｖの範囲内にすることができ、Ｌｏｗロジックの場合にはノイズがあったとしても０Ｖ〜０．７Ｖの範囲内にすることができる。よって、電圧降下やノイズがあったとしても誤検出を防止することができる。なお、ロジックを検知する電圧の閾値の範囲については、上述した範囲（Ｈｉｇｈロジックを検知する電圧が３．７Ｖ〜５Ｖの範囲，Ｌｏｗロジックを検知する電圧が０Ｖ〜０．７Ｖの範囲）に限定されない。【００５８】
制御基板７０にハロゲンランプＨを接続し、発光ダイオード（ＬＥＤ）Ｌを接続しない場合には、発光ダイオード（ＬＥＤ）ＬにつながるＬＥＤ用コネクタ７３を制御基板７０に挿し込まないので、ＣＰＵ７１の５番ピンは、途中で接続された５Ｖの直流電源によって、ほぼ５ＶにプルアップされてＨｉｇｈロジックになる。なお、当該５Ｖの直流電源に接続された抵抗によって多少の電圧降下が生じるが、当該抵抗が例えば１０ｋΩ程度の高抵抗であるので、当該抵抗に流れる電流はマイクロアンペア（μＡ）オーダとなり電圧降下を無視することができる。このように、制御基板７０に接続された光源がハロゲンランプＨである場合には、ＣＰＵ７１の５番ピンがＨｉｇｈロジックになったのを検出することにより、制御基板７０に接続された光源がハロゲンランプＨであるのを検出して、検出された当該光源の種類がハロゲンランプＨであるのを自動的に判別する。【００５９】
逆に、制御基板７０にハロゲンランプＨを接続せず、発光ダイオード（ＬＥＤ）Ｌを接続する場合には、発光ダイオード（ＬＥＤ）ＬにつながるＬＥＤ用コネクタ７３を制御基板７０に挿すと、ＣＰＵ７１の５番ピンは、ＬＥＤ用コネクタ７３につけられたケーブルによって３番ピンと４番ピンとの間がショートされた結果、接地された４番ピンによりＬｏｗロジックに落ちる。このように、制御基板７０に接続された光源が発光ダイオード（ＬＥＤ）Ｌである場合には、ＣＰＵ７１の５番ピンがＬｏｗロジックになったのを検出することにより、制御基板７０に接続された光源が発光ダイオード（ＬＥＤ）Ｌであるのを検出して、検出された当該光源の種類が発光ダイオード（ＬＥＤ）Ｌであるのを自動的に判別する。【００６０】
続いて、本実施例１に係る制御部２８による具体的な制御について説明する。制御部２８による光源の点灯時間を制限する具体的な制御方式については、例えば以下の制御方式１〜制御方式４が挙げられる。【００６１】
［制御方式１］
上述した特許文献１：特開２０１２−５５４２１号公報のように、温度上昇や温度下降を疑似温度カウンターとしてカウントアップあるいはカウントダウンし、そのカウント値が設定値を超えるとコリメータランプの点灯を中止して、外装温度が高温になるのを防止していた。【００６２】
ハロゲンランプを使用する場合には、例えば、点灯中には１秒につき２カウントをカウントアップし、消灯中には１秒につき１カウントをカウントダウンする。つまり、点灯時間の２倍の時間でハロゲンランプが消灯すると、点灯前のカウント値を維持する。なお、“０”までカウントダウンしたらマイナスまではカウントダウンせず、“０”を維持する。このカウント値が、例えば６００カウントになったら点灯を中止する。【００６３】
上記の例では、ハロゲンランプの点灯時間と消灯時間とが１：２を維持している限り、温度制限のようなプロテクトが働かずにコリメータランプが強制的に消灯することはない。逆に、例えば５分（＝３００秒）連続して点灯する場合には、２カウント／秒×３００秒＝６００カウントとなり、６００カウントに到達するので、プロテクトが働きコリメータランプが強制的に消灯する、ということになる。【００６４】
この例は、ハロゲンランプを使用したときにおける、温度上昇の勾配が温度下降の勾配よりも２倍急峻である場合の演算である。以下、本明細書では、この演算による制御方式を「制御方式１」と呼ぶ。ＬＥＤを使用する場合には、制御方式１によって下記のように点灯時間制限手段が制限する点灯時間を変更する。【００６５】
例えば、ハロゲンランプでは６００カウントになったら点灯を禁止していたが、ＬＥＤでは１２００カウントになったら点灯を禁止する。あるいは、ハロゲンランプでは点灯１秒につき２カウントをカウントアップしていたが、ＬＥＤでは点灯１秒につき１カウントをカウントアップする。【００６６】
上述した特許文献１：特開２０１２−５５４２１号公報のような制御方式１は複雑な計算・制御となるが、ＣＰＵによって実現可能である。制御方式１のような複雑な計算・制御をするものでなくとも、例えば以下のような単純な制御方式２〜制御方式４でもよい。【００６７】
［制御方式２］
ハロゲンランプを使用する場合には、例えば５分連続して点灯すると、その後に温度制限をかけて１０分間点灯を禁止する。以下、本明細書では、この制御方式を「制御方式２」と呼ぶ。ＬＥＤを使用する場合には、制御方式２によって下記のように点灯時間制限手段が制限する点灯時間を変更する。【００６８】
例えば、ハロゲンランプでは５分連続して点灯した後に温度制限をかけていたが、ＬＥＤでは１０分連続して点灯した後に温度制限をかける。【００６９】
［制御方式３］
ハロゲンランプを使用する場合には、例えば５分連続して点灯すると、その後に温度制限をかけて装置を再起動するまでに点灯を禁止する。言い換えれば、５分連続点灯後に装置を再起動すれば温度制限のようなプロテクトが解除される。したがって、温度上昇の勾配が温度下降の勾配よりも２倍急峻である場合には、温度制限をかけた直後から１０分以内に装置を再起動しないように技師などの使用者が留意する。以下、本明細書では、この制御方式を「制御方式３」と呼ぶ。ＬＥＤを使用する場合には、制御方式３によって下記のように点灯時間制限手段が制限する点灯時間を変更する。【００７０】
例えば、ハロゲンランプでは５分連続して点灯した後に温度制限をかけていたが、制御方式２と同様に、ＬＥＤでは１０分連続して点灯した後に温度制限をかける。【００７１】
［制御方式４］
ハロゲンランプを使用する場合には、点灯ボタン（図示省略）の１回押下で例えば３０秒点灯し、１０回押下することにより３０秒／回×１０回＝３００秒となり、５分（＝３００秒）連続して点灯する。その５分連続点灯後の１０分間は点灯ボタンの１回押下で１０秒しか点灯しないように温度制限をかける。以下、本明細書では、この制御方式を「制御方式４」と呼ぶ。ＬＥＤを使用する場合には、制御方式４によって下記のように点灯時間制限手段が制限する点灯時間を変更する。【００７２】
例えば、ハロゲンランプでは５分連続点灯後の１０分間は点灯ボタンの１回押下で１０秒しか点灯しないように温度制限をかけていたが、ＬＥＤでは５分連続点灯後の１０分間は点灯ボタンの１回押下で２５秒まで点灯可能になるように温度制限をかける。【００７３】
上述の構成を備えた本実施例１に係るＸ線撮影装置１によれば、放射線（各実施例ではＸ線）の照射野に可視光（光）を照射する光源（各実施例ではコリメータランプ２９）や、当該光源（コリメータランプ２９）の点灯を制御する光源点灯制御手段（図４ではＣＰＵ７１）の他に、所定の温度以下になるように光源（コリメータランプ２９）の点灯時間を制限する（図４ではＣＰＵ７１に組み込まれた）点灯時間制限手段と、装置本体に接続された光源の種類を判別する光源種類判別手段（図４では制御基板７０）とを備えている。（ＣＰＵ７１に組み込まれた）点灯時間制限手段が所定の温度以下になるように光源（コリメータランプ２９）の点灯時間を制限することにより、装置外装の温度が過熱しないようにする。光源種類判別手段（制御基板７０）での装置本体に接続された光源の種類を判別することによる判別の結果に基づいて、（ＣＰＵ７１に組み込まれた）点灯時間制限手段が制限する点灯時間を光源点灯制御手段（ＣＰＵ７１）が変更することより、出荷時の組み立て者や保守時のサービスマンなどの人間が手動で設定する必要がなく、光源（コリメータランプ２９）の切り替え設定を自動的に行うことができる。また、光源種類判別手段（制御基板７０）による判別の結果に基づいて（ＣＰＵ７１に組み込まれた）点灯時間制限手段が制限する点灯時間を変更するので、誤設定のリスクを防止することができる。例えば、発熱の大きい種類の光源（例えばハロゲンランプ）が実際に接続されていても、当該光源の種類を接続対象として自動的に判別することで、点灯時間を短く制限して過熱を防止する。逆に、発熱の小さい種類の光源（例えばＬＥＤ）が実際に接続されていても、当該光源の種類を接続対象として自動的に判別することで、点灯時間を長く設定して長時間に連続して使用する。よって、発熱の大きい種類の光源を用いて外装温度の過熱の可能性がある場合には過熱を防止し、発熱の小さい種類の光源を用いて外装温度の過熱の可能性がない場合には長時間に連続して使用することが可能となる。その結果、誤設定のリスクを防止し、光源の切り替え設定を自動的に行うことができる。【００７４】
本実施例１では、光源種類判別手段は、光源が接続されたことを検出する。図４に示すように、制御基板７０に接続された光源（図４ではハロゲンランプＨまたは発光ダイオード（ＬＥＤ）Ｌ）を検出する（図４ではＣＰＵ７１の５番ピンがＨｉｇｈロジックまたはＬｏｗロジックになったのを検出する）ことにより、検出された当該光源の種類を判別する。本実施例１の場合には、制御基板を１つ用意して、装置本体に搭載された当該制御基板に光源を接続するだけで、光源の種類の判別を実現することができる。
【実施例２】
【００７５】
次に、図面を参照してこの発明の実施例２を説明する。図５は、光源種類判別手段の説明に供する、実施例２に係るハロゲンランプ用制御基板（ハロゲンランプ点灯用回路）および周辺の回路であり、図６は、光源種類判別手段の説明に供する、実施例２に係るＬＥＤ用制御基板（ＬＥＤ点灯用回路）および周辺の回路である。本実施例２では、図２のブロック図も含めて、上述した実施例１と同じ図１に示すＸ線撮影装置１を用いてＸ線撮影を行っている。【００７６】
上述した実施例１では、光源種類判別手段は、図４に示すような制御基板７０であったが、本実施例２では、ハロゲンランプを点灯させるための制御基板（ハロゲンランプ用制御基板）と、ＬＥＤを点灯させるための制御基板（ＬＥＤ用制御基板）とが別々にあって、それぞれに同じＣＰＵ（光源点灯制御手段）を搭載して構成されている。【００７７】
具体的には、図５に示すハロゲンランプ用制御基板（ハロゲンランプ点灯用回路）８０または図６に示すＬＥＤ用制御基板（ＬＥＤ点灯用回路）９０のいずれか一方の制御基板が装置（図１および図２ではＸ線撮影装置１）本体に搭載されている。そして、装置本体に搭載された方の制御基板は、図２に示すように制御部２８としてＸ線撮影装置１を構成する各部分に電気的に接続されている。【００７８】
先ず、ハロゲンランプ用制御基板８０について、図５を参照して説明する。制御部２８（図２を参照）は、図５に示すように、光源種類判別手段の機能を有したハロゲンランプ用制御基板８０で構成され、光源点灯制御手段の機能および点灯時間制限手段の機能を有した中央演算処理装置（ＣＰＵ）８１をハロゲンランプ用制御基板８０に搭載して構成されている。本実施例２では、図５に示すようにハロゲンランプ用制御基板８０がハロゲンランプＨのみに電気的に接続されて構成されている。【００７９】
具体的には、ハロゲンランプ用制御基板８０は、ハロゲンランプ用コネクタ８２を介してハロゲンランプＨに電気的に接続されている。また、ハロゲンランプ用制御基板８０はスイッチ用コネクタ８４を介してランプ点灯スイッチＳに電気的に接続されている。ハロゲンランプ用コネクタ８２やスイッチ用コネクタ８４は２つのピン（接続端子）を有している。【００８０】
ハロゲンランプ用コネクタ８２の１番ピン（図５では「１」で表記）および２番ピン（図５では「２」で表記）はハロゲンランプＨにつながっている。上述した実施例１と相違して、ハロゲンランプ用制御基板８０はハロゲンランプＨのみに電気的に接続されている。当該ハロゲンランプ用コネクタ８２をハロゲンランプ用制御基板８０に挿すと、当該１番ピンは２４Ｖの直流電源に電気的に接続され、当該２番ピンはトランジスタを介してＣＰＵ８１に電気的に接続される。【００８１】
スイッチ用コネクタ８４の１番ピン（図５では「１」で表記）および２番ピン（図５では「２」で表記）はランプ点灯スイッチＳにつながっており、上述した実施例１と同様に、当該スイッチ用コネクタ８４をハロゲンランプ用制御基板８０に挿すことで、当該１番ピンは、途中で５Ｖの直流電源に接続された抵抗に電気的に接続され、ＣＰＵ８１に電気的に接続される。また、当該２番ピンは接地される。【００８２】
また、ＣＰＵ８１の５番ピン（図５では「５」で表記）は、５Ｖの直流電源に接続された高抵抗（例えば１０ｋΩ）に電気的に接続されている。ＣＰＵ８１がハロゲンランプ用制御基板８０に搭載された際には、ＣＰＵ８１の５番ピンが、５Ｖの直流電源によって、ほぼ５ＶにプルアップされてＨｉｇｈロジックになる。上述した実施例１でも述べたように、当該５Ｖの直流電源に接続された抵抗によって多少の電圧降下が生じるが、当該抵抗が例えば１０ｋΩ程度の高抵抗であるので、当該抵抗に流れる電流はマイクロアンペア（μＡ）オーダとなり電圧降下を無視することができる。このように、ハロゲンランプ用制御基板８０にＣＰＵ８１が搭載された場合には、ＣＰＵ８１の５番ピンがＨｉｇｈロジックになったのを検出することにより、ハロゲンランプ用制御基板８０にＣＰＵ８１が搭載されたのを検出して、検出された当該光源の種類がハロゲンランプＨであるのを自動的に判別する。【００８３】
続いて、ＬＥＤ用制御基板（ＬＥＤ点灯用回路）９０について、図６を参照して説明する。制御部２８（図２を参照）は、図６に示すように、光源種類判別手段の機能を有したＬＥＤ用制御基板９０で構成され、光源点灯制御手段の機能および点灯時間制限手段の機能を有した中央演算処理装置（ＣＰＵ）９１をＬＥＤ用制御基板９０に搭載して構成されている。本実施例２では、図６に示すようにＬＥＤ用制御基板９０が発光ダイオード（ＬＥＤ）Ｌのみに電気的に接続されて構成されている。【００８４】
具体的には、ＬＥＤ用制御基板９０は、ＬＥＤ用コネクタ９３を介して発光ダイオード（ＬＥＤ）Ｌに電気的に接続されている。また、ＬＥＤ用制御基板９０はスイッチ用コネクタ９４を介してランプ点灯スイッチＳに電気的に接続されている。スイッチ用コネクタ９４は２つのピン（接続端子）を有しており、本実施例２では、ＬＥＤ用コネクタ９３は２つのピン（接続端子）を有している。【００８５】
ＬＥＤ用コネクタ９３の１番ピン（図６では「１」で表記）および２番ピン（図６では「２」で表記）は発光ダイオード（ＬＥＤ）Ｌにつながっている。上述した実施例１と相違して、ＬＥＤ用制御基板９０は発光ダイオード（ＬＥＤ）Ｌのみに電気的に接続されている。当該ＬＥＤ用コネクタ９３をＬＥＤ用制御基板９０に挿すと、当該１番ピンは１４Ｖの直流電源に電気的に接続され、当該２番ピンはトランジスタを介してＣＰＵ９１に電気的に接続される。また、上述した実施例１と同様に、１４Ｖの直流電源はＡＣ／ＤＣ変換基板（図示省略）に電気的に接続されており、交流を１４Ｖの直流電圧に変換した後に発光ダイオード（ＬＥＤ）Ｌに電力を供給する。【００８６】
スイッチ用コネクタ９４の１番ピン（図６では「１」で表記）および２番ピン（図６では「２」で表記）はランプ点灯スイッチＳにつながっており、上述した実施例１や図５のハロゲンランプ用制御基板８０と同様に、当該スイッチ用コネクタ９４をＬＥＤ用制御基板９０に挿すことで、当該１番ピンは、途中で５Ｖの直流電源に接続された抵抗に電気的に接続され、ＣＰＵ９１に電気的に接続される。また、当該２番ピンは接地される。【００８７】
また、ＣＰＵ９１の５番ピン（図６では「５」で表記）は接地されている。ＣＰＵ９１がＬＥＤ用制御基板９０に搭載された際には、ＣＰＵ９１の５番ピンが、接地によってプルダウンされてＬｏｗロジックになる。このように、ＬＥＤ用制御基板９０にＣＰＵ９１が搭載された場合には、ＣＰＵ９１の５番ピンがＬｏｗロジックになったのを検出することにより、ＬＥＤ用制御基板９０にＣＰＵ９１が搭載されたのを検出して、検出された当該光源の種類が発光ダイオード（ＬＥＤ）Ｌであるのを自動的に判別する。【００８８】
なお、図５および図６ではＣＰＵについて、互いに別々の符号（８１，９１）を付したが、実際には同一のＣＰＵを、図５に示すハロゲンランプ用制御基板（ハロゲンランプ点灯用回路）８０および図６に示すＬＥＤ用制御基板（ＬＥＤ点灯用回路）９０で共用している。したがって、ハロゲンランプ用制御基板８０およびＬＥＤ用制御基板９０において、ＣＰＵの同一の１つのピンのロジックを反対にしておくことによって、ＣＰＵがどちらの基板に搭載されたのかを自動的に検出することができる。【００８９】
本実施例２においても、上述した実施例１でも述べた制御方式１〜制御方式４による制御を行う。【００９０】
上述の構成を備えた本実施例２に係るＸ線撮影装置１の作用・効果については、上述した実施例１と同じであるので、説明を省略する。【００９１】
本実施例２では、光源種類判別手段は、図５および図６に示すように、光源点灯制御手段（ＣＰＵ）が光源（図５および図６ではハロゲンランプＨまたは発光ダイオード（ＬＥＤ）Ｌ）を点灯させるための当該光源専用の制御基板（図５および図６ではハロゲンランプ用制御基板８０およびＬＥＤ用制御基板９０）に搭載されたことを検出する（図５および図６ではＣＰＵの５番ピンがＨｉｇｈロジックまたはＬｏｗロジックになったのを検出する）。本実施例２の場合には、光源の種類の数だけ光源専用の制御基板（光源専用の点灯用回路）を用意して、それぞれに同じ光源点灯制御手段（ＣＰＵ）を搭載するだけで、光源の種類の判別を実現することができる。
【実施例３】
【００９２】
次に、図面を参照してこの発明の実施例３を説明する。本実施例３では、図２のブロック図も含めて、上述した実施例１，２と同じ図１に示すＸ線撮影装置１を用いてＸ線撮影を行っている。【００９３】
上述した実施例１，２では、光源種類判別手段（各実施例１，２では制御基板）による判別の結果に基づいて点灯時間制限手段（各実施例１，２ではＣＰＵ）が制限する点灯時間を変更していたが、本実施例３では、光源種類判別手段（制御基板）による判別の結果により光源がＬＥＤのような半導体光源である場合に、点灯時間制限手段（ＣＰＵ）を無効にしている。これは、ＬＥＤの消費電力が１０Ｗ〜２０Ｗ程度で、ハロゲンランプの消費電力の１／１０〜１／５であって、点灯時間制限手段（ＣＰＵ）自体を無効にすることでＬＥＤを無制限に点灯させても過熱しにくいからである。【００９４】
光源種類判別手段は、図４に示すような制御基板でもよいし、図５や図６に示すような制御基板でもよい。【００９５】
また、本実施例３においても、上述した実施例１でも述べた制御方式１〜制御方式４による制御を行う。つまり、制御方式１〜制御方式４のいずれにおいても、光源がＬＥＤのような半導体光源である場合に点灯時間制限手段（ＣＰＵ）自体を無効にする。【００９６】
例えば、制御方式１において、ハロゲンランプでは６００カウントになったら点灯を禁止していたが、ＬＥＤでは無効にすることで無制限に点灯させる。また、制御方式２において、ハロゲンランプでは５分連続して点灯した後に温度制限をかけていたが、ＬＥＤでは無効にすることで無制限に点灯させる。【００９７】
また、制御方式３において、ハロゲンランプでは５分連続して点灯した後に装置を再起動するまでに温度制限をかけていたが、ＬＥＤでは無効にすることで無制限に点灯させる。また、制御方式４において、ハロゲンランプでは５分連続点灯後の１０分間は点灯ボタンの１回押下で１０秒しか点灯しないように温度制限をかけていたが、ＬＥＤでは無効にすることで無制限に点灯させる。あるいは、ＬＥＤでは無効にすることで点灯ボタンの１回押下で温度制限前と同じ３０秒間点灯させる。【００９８】
上述の構成を備えた本実施例３に係るＸ線撮影装置１によれば、上述した実施例１，２と同様に、放射線（各実施例ではＸ線）の照射野に可視光（光）を照射する光源（各実施例ではコリメータランプ２９）や、当該光源（コリメータランプ２９）の点灯を制御する光源点灯制御手段（各実施例ではＣＰＵ）の他に、所定の温度以下になるように光源（コリメータランプ２９）の点灯時間を制限する（各実施例ではＣＰＵに組み込まれた）点灯時間制限手段と、装置本体に接続された光源の種類を判別する光源種類判別手段（各実施例では制御基板）とを備えている。（ＣＰＵに組み込まれた）点灯時間制限手段が所定の温度以下になるように光源（コリメータランプ２９）の点灯時間を制限することにより、装置外装の温度が過熱しないようにする。上述した実施例１，２と相違して、光源種類判別手段（制御基板）での装置本体に接続された光源の種類を判別することによる判別の結果により光源が半導体光源（例えばＬＥＤ）である場合に、（ＣＰＵに組み込まれた）点灯時間制限手段を光源点灯制御手段（ＣＰＵ）が無効にする。半導体光源は、位相のそろった可視光（光）を放射するレーザダイオード（ＬＤ）や、各実施例のようなＬＥＤなどのように発熱の小さい半導体光源で構成されている。したがって、発熱の小さい半導体光源が実際に接続されている場合には（ＣＰＵに組み込まれた）点灯時間制限手段を無効にすることにより、点灯時間を長く設定して長時間に連続して使用する。逆に、半導体光源以外の発熱の大きい種類の光源（例えばハロゲンランプ）が実際に接続されている場合には（ＣＰＵに組み込まれた）点灯時間制限手段を有効にすることにより、点灯時間を短く制限して過熱を防止する。よって、発熱の小さい半導体光源を用いて外装温度の過熱の可能性がない場合には（ＣＰＵに組み込まれた）点灯時間制限手段を無効にすることにより、長時間に連続して使用することが可能となる。その結果、誤設定のリスクを防止し、光源の切り替え設定を自動的に行うことができる。
【実施例４】
【００９９】
次に、図面を参照してこの発明の実施例４を説明する。本実施例４では、図２のブロック図も含めて、上述した実施例１〜３と同じ図１に示すＸ線撮影装置１を用いてＸ線撮影を行っている。【０１００】
上述した実施例１，２では、光源種類判別手段（各実施例１，２では制御基板）による判別の結果に基づいて点灯時間制限手段（各実施例１，２ではＣＰＵ）が制限する点灯時間を変更していたが、本実施例４では、光源種類判別手段（制御基板）による判別の結果に基づいて点灯電力制限手段（ＣＰＵ）が制限する点灯電力を変更している。つまり、制限の対象が、実施例１，２では光源の点灯時間であったのに対して、本実施例４では光源の点灯電力である。【０１０１】
上述した実施例３と同様に、光源種類判別手段は、図４に示すような制御基板でもよいし、図５や図６に示すような制御基板でもよい。【０１０２】
制限の対象である光源の点灯電力を変更するには、例えば以下のようにする。通常、直流により光源を点灯させる場合には、ＰＷＭ（Pulse Width Modulation）制御を行う。よって、制限の対象である光源の点灯電力を変更するためには、パルス幅のデュ−ティ比を変更する。【０１０３】
ハロゲンランプが接続されている場合には、例えばタイマーで点灯時間を監視した後に、ＯＮ（Ｈｉｇｈ）の時間を段階的に短くする、あるいはＯＦＦ（Ｌｏｗ）の時間を段階的に長くすることにより、点灯電力を下げて制限して過熱を防止する。逆に、ＬＥＤが接続されている場合には、例えばタイマーで点灯時間を監視した後でも、ハロゲンランプのときよりも長く、かつＯＮ（Ｈｉｇｈ）の時間を段階的に短くする、あるいはハロゲンランプのときよりも短く、かつＯＦＦ（Ｌｏｗ）の時間を段階的に長くすることにより、点灯電力の下げ率を抑えて設定する。【０１０４】
その他に、電圧（図４〜図６の制御基板における直流電源の電圧を参照）を可変にすることで点灯電力を変更してもよい。ハロゲンランプが接続されている場合には、例えばタイマーで点灯時間を監視した後に、電圧を段階的に低くすることにより、点灯電力を下げて制限して過熱を防止する。逆に、ＬＥＤが接続されている場合には、例えばタイマーで点灯時間を監視した後でも、ハロゲンランプのときよりも長い時間で電圧を段階的に低くする、あるいはハロゲンランプのときよりも高い電圧で電圧を段階的に低くすることにより、点灯電力の下げ率を抑えて設定する。【０１０５】
上述の構成を備えた本実施例４に係るＸ線撮影装置１によれば、放射線（各実施例ではＸ線）の照射野に可視光（光）を照射する光源（各実施例ではコリメータランプ２９）や、当該光源（コリメータランプ２９）の点灯を制御する光源点灯制御手段（各実施例ではＣＰＵ）の他に、所定の温度以下になるように光源（コリメータランプ２９）の点灯電力を制限する（各実施例ではＣＰＵに組み込まれた）点灯電力制限手段と、装置本体に接続された光源の種類を判別する光源種類判別手段（各実施例では制御基板）とを備えている。（ＣＰＵに組み込まれた）点灯電力制限手段が所定の温度以下になるように光源（コリメータランプ２９）の点灯電力を制限することにより、装置外装の温度が過熱しないようにする。光源種類判別手段（制御基板）での装置本体に接続された光源の種類を判別することによる判別の結果に基づいて、（ＣＰＵに組み込まれた）点灯電力制限手段が制限する点灯電力を光源点灯制御手段（ＣＰＵ）が変更することより、出荷時の組み立て者や保守時のサービスマンなどの人間が手動で設定する必要がなく、光源（コリメータランプ２９）の切り替え設定を自動的に行うことができる。また、光源種類判別手段（制御基板）による判別の結果に基づいて（ＣＰＵに組み込まれた）点灯電力制限手段が制限する点灯電力を変更するので、誤設定のリスクを防止することができる。例えば、発熱の大きい種類の光源（例えばハロゲンランプ）が実際に接続されていても、当該光源の種類を接続対象として自動的に判別することで、例えばタイマーで点灯時間を監視した後に、点灯電力を下げて制限して過熱を防止する。逆に、発熱の小さい種類の光源（例えばＬＥＤ）が実際に接続されていても、当該光源の種類を接続対象として自動的に判別することで、例えばタイマーで点灯時間を監視した後でも、点灯電力の下げ率を抑えて設定する。よって、発熱の大きい種類の光源を用いて外装温度の過熱の可能性がある場合には過熱を防止し、発熱の小さい種類の光源を用いて外装温度の過熱の可能性がない場合には点灯電力の下げ率を抑えて設定することが可能となる。その結果、誤設定のリスクを防止し、光源の切り替え設定を自動的に行うことができる。
【実施例５】
【０１０６】
次に、図面を参照してこの発明の実施例５を説明する。本実施例５では、図２のブロック図も含めて、上述した実施例１〜４と同じ図１に示すＸ線撮影装置１を用いてＸ線撮影を行っている。【０１０７】
上述した実施例４では、光源種類判別手段（制御基板）による判別の結果に基づいて点灯電力制限手段（ＣＰＵ）が制限する点灯電力を変更していたが、本実施例５では、光源種類判別手段（制御基板）による判別の結果により光源がＬＥＤのような半導体光源である場合に、点灯電力制限手段（ＣＰＵ）を無効にしている。上述した実施例３でも述べたように、これは、ＬＥＤの消費電力が１０Ｗ〜２０Ｗ程度で、ハロゲンランプの消費電力の１／１０〜１／５であって、点灯電力制限手段（ＣＰＵ）自体を無効にすることでＬＥＤを無制限に点灯させても過熱しにくいからである。【０１０８】
上述した実施例３，４と同様に、光源種類判別手段は、図４に示すような制御基板でもよいし、図５や図６に示すような制御基板でもよい。【０１０９】
点灯電力制限手段（ＣＰＵ）自体を無効にするには、例えば以下のようにする。上述した実施例４と同様に、ハロゲンランプが接続されている場合には、例えばタイマーで点灯時間を監視した後に、ＯＮ（Ｈｉｇｈ）の時間を段階的に短くする、あるいはＯＦＦ（Ｌｏｗ）の時間を段階的に長くすることにより、点灯電力を下げて制限して過熱を防止する。これに対して、ＬＥＤが接続されている場合には、例えばタイマーで点灯時間を監視した後でも、点灯電力制限手段（ＣＰＵ）自体を無効にすることで温度制限前と同じデュ−ティ比でＰＷＭ制御を行うことにより、点灯電力を下げずに設定する。あるいは、例えばタイマーで点灯時間を監視した後でも、点灯電力制限手段（ＣＰＵ）自体を無効にすることでＰＷＭ制御を行わずにＰＷＭ制御のときよりも点灯電力を大きく設定する。【０１１０】
なお、ＬＥＤが接続されている場合には、点灯電力制限手段（ＣＰＵ）自体を最初から無効にしてもよい。点灯電力制限手段（ＣＰＵ）自体を最初から無効にすることで常に同じデュ−ティ比でＰＷＭ制御を行うことにより、点灯電力を下げずに設定する。あるいは、点灯電力制限手段（ＣＰＵ）自体を最初から無効にすることでＰＷＭ制御を最初から行わずにＰＷＭ制御のときよりも点灯電力を大きく設定する。【０１１１】
その他に、上述した実施例４と同様に、ハロゲンランプが接続されている場合には、例えばタイマーで点灯時間を監視した後に、電圧を段階的に低くすることにより、点灯電力を下げて制限して過熱を防止する。これに対して、ＬＥＤが接続されている場合には、例えばタイマーで点灯時間を監視した後でも、点灯電力制限手段（ＣＰＵ）自体を無効にすることで温度制限前と同じ電圧でＰＷＭ制御を行うことにより、点灯電力を下げずに設定する。【０１１２】
上述の構成を備えた本実施例５に係るＸ線撮影装置１によれば、上述した実施例４と同様に、放射線（各実施例ではＸ線）の照射野に可視光（光）を照射する光源（各実施例ではコリメータランプ２９）や、当該光源（コリメータランプ２９）の点灯を制御する光源点灯制御手段（各実施例ではＣＰＵ）の他に、所定の温度以下になるように光源（コリメータランプ２９）の点灯電力を制限する（各実施例ではＣＰＵに組み込まれた）点灯電力制限手段と、装置本体に接続された光源の種類を判別する光源種類判別手段（各実施例では制御基板）とを備えている。（ＣＰＵに組み込まれた）点灯電力制限手段が所定の温度以下になるように光源（コリメータランプ２９）の点灯電力を制限することにより、装置外装の温度が過熱しないようにする。上述した実施例４と相違して、光源種類判別手段（制御基板）での装置本体に接続された光源の種類を判別することによる判別の結果により光源が半導体光源（例えばＬＥＤ）である場合に、（ＣＰＵに組み込まれた）点灯電力制限手段を光源点灯制御手段（ＣＰＵ）が無効にする。半導体光源は、上述した実施例３でも述べたように、レーザダイオード（ＬＤ）や、各実施例のようなＬＥＤなどのように発熱の小さい半導体光源で構成されている。したがって、発熱の小さい半導体光源が実際に接続されている場合には（ＣＰＵに組み込まれた）点灯電力制限手段を無効にすることにより、点灯電力を下げずに設定、あるいは大きく設定する。逆に、半導体光源以外の発熱の大きい種類の光源（例えばハロゲンランプ）が実際に接続されている場合には（ＣＰＵに組み込まれた）点灯電力制限手段を有効にすることにより、点灯電力を下げて制限して過熱を防止する。よって、発熱の小さい半導体光源を用いて外装温度の過熱の可能性がない場合には（ＣＰＵに組み込まれた）点灯電力制限手段を無効にすることにより、点灯電力を下げずに設定、あるいは大きく設定することが可能となる。その結果、誤設定のリスクを防止し、光源の切り替え設定を自動的に行うことができる。【０１１３】
この発明は、上記実施形態に限られることはなく、下記のように変形実施することができる。【０１１４】
（１）上述した各実施例では、放射線としてＸ線を例に採って説明したが、Ｘ線以外の放射線（例えばα線やβ線やγ線など）にも適用することができる。【０１１５】
（２）上述した各実施例では、放射線装置としてＸ線撮影を行うＸ線撮影装置を例に採って説明したが、Ｘ線撮影を行うＸ線撮影装置に限定されない。例えばＸ線撮影よりも弱い線量でＸ線を照射して複数のＸ線画像を逐次に取得して、各々のＸ線画像をリアルタイムに表示（動画表示）するＸ線透視を行うＸ線透視装置に適用してもよい。【０１１６】
（３）上述した各実施例では、Ｘ線撮影装置は、図１に示すような装置であったが、被検体に向けて放射線を照射する放射線照射手段（各実施例ではＸ線管２２）を備えた放射線装置であれば、立位姿勢のみの撮影や透視を行う装置であってもよいし、臥位姿勢のみの撮影や透視を行う装置であってもよい。また、立位姿勢・臥位姿勢の両方が適用可能な傾斜可能なテーブルを備えた撮影や透視を行う装置であってもよい。【０１１７】
（４）上述した各実施例では、Ｘ線検出器として、フラットパネル型Ｘ線検出器を例に採って説明したが、Ｘ線検出器としては、例えばＸ線フィルムやＣＲなどのように通常において用いられるものであれば、特に限定されない。【０１１８】
（５）上述した各実施例では、光源の種類は、ハロゲンランプおよび発光ダイオード（ＬＥＤ）の２種類であったが、レーザダイオード（ＬＤ）などの他の光源を用いて３種類以上の光源のいずれか１つに切り替える場合に適用してもよい。【０１１９】
（６）上述した各実施例では、光源として、コリメータのリーフにより調整された照射野全体を可視光で照らすコリメータランプを用いたが、放射線の照射野に可視光を照射する光源であれば、コリメータランプに限定されない。ライン状の可視光を照射することで照射野内の基準線（例えば中心線）を可視光で照らすラインマーカを用いてもよい。また、コリメータランプおよびラインマーカを両方用いてもよい。【０１２０】
（７）上述した各実施例では、発熱の大きい光源として、ハロゲンガスを封入したハロゲンランプを用いたが、ハロゲン以外のガスを封入した白熱電球を用いてもよい。【０１２１】
（８）上述した各実施例では、発熱の小さい半導体光源として、発光ダイオード（ＬＥＤ）を用いたが、位相のそろった可視光を放射するレーザダイオード（ＬＤ）を用いてもよい。【０１２２】
（９）上述した各実施例では、中央演算処理装置（ＣＰＵ）は、光源点灯制御手段の機能に専ら用いられており、点灯時間／点灯電力制限手段の機能を組み込んで内蔵していたが、光源点灯制御手段の機能と点灯時間／点灯電力制限手段の機能とを独立して備えてもよい。【０１２３】
（１０）上述した各実施例では、光源種類判別手段は、図４〜図６に示すような制御基板であったが、制御基板に限定されない。例えば、コネクタによる接続の有無を光学的に検出する光センサを備え、その光センサとＣＰＵとを接続し、ＣＰＵで光源種類判別手段を構成してもよい。その他に、装置本体に接続された光源につながっているケーブルに流れる電流の有無を検出する電流検出回路を備え、その電流検出回路とＣＰＵとを接続し、ＣＰＵで光源種類判別手段を構成してもよい。具体的には、図７に示すように、発光ダイオード（ＬＥＤ）Ｌにつながっているケーブルに流れる電流の有無を検出する電流検出回路７５を備え、電流検出回路用コネクタ７６を介して、ＣＰＵ７１を電流検出回路７５に電気的に接続する。発光ダイオード（ＬＥＤ）Ｌにつながっているケーブルに電流が流れているのを電流検出回路７５が検出する場合には、装置本体に接続された光源が発光ダイオード（ＬＥＤ）Ｌであるのを検出して、検出された当該光源の種類が発光ダイオード（ＬＥＤ）Ｌであるのを自動的に判別する。逆に、発光ダイオード（ＬＥＤ）Ｌにつながっているケーブルに電流が流れていないのを電流検出回路７５が検出する場合には、装置本体に接続された光源がハロゲンランプＨであるのを検出して、検出された当該光源の種類がハロゲンランプＨであるのを自動的に判別する。なお、ハロゲンランプにつながっているケーブルに流れる電流の有無を検出する電流検出回路を備えてもよい。
【符号の説明】
【０１２４】
１  …  Ｘ線撮影装置
２２  …  Ｘ線管
２８  …  制御部
２９  …  照射野ランプ（コリメータランプ）
７０，８０，９０  …  制御基板
７１，８１，９１  …  中央演算処理装置（ＣＰＵ）
Ｈ  …  ハロゲンランプ
Ｌ  …  発光ダイオード（ＬＥＤ）
Ｍ  …  被検体
【図１】
2017046929.tif 000003
【図２】
2017046929.tif 000004
【図３】
2017046929.tif 000005
【図４】
2017046929.tif 000006
【図５】
2017046929.tif 000007
【図６】
2017046929.tif 000008
【図７】
2017046929.tif 000009
【国際調査報告】
2017046929.tif 000010
2017046929.tif 000011
2017046929.tif 000012
2017046929.tif 000013